(57)【要約】本発明は、特にショー、スポーツ、若しくは訓練の目的のための、人間を推進及び／又は保持するための装置に関するものであり、そこでは少なくとも一つのケーブル（３、４）若しくは同様のタイプの別の構成要素が、弾性作動ユニット（１２）と共に使用されて、一人以上の使用者（１）を推進及び／又は保持する。本発明は、より具体的には、ケーブル（３、４）の戻り力を使用者（１）の体重及び／又は体力に合わせるための手段（１９、２８）を具備した装置に関するものである。
2004512154.tif 000002
【特許請求の範囲】
【請求項１】
人間を推進及び／又は保持するための装置であって、少なくとも一人の使用者（１）に取り付けられた一つの端を有する、少なくとも一つのケーブル（３、４）もしくは同じタイプの他の剛性構成要素を具備していて、前記ケーブル（３、４）が弾性作動ユニット（１２）に取り付けられた移動部分（１４）を経由して延びていて、一方ケーブル（３、４）のもう一方の端が、ウインチ（１７）もしくは他の吊上げシステム又は前記移動部分（１４）に取り付けられていて、前記弾性作動ユニット（１２）が、概ね縦形の数個の弾性作動構成要素（１３）を具備していて、前記弾性作動構成要素（１３）各々の一方の端部（２０）が、前記移動部分（１４）に固定されていて、これに対してもう一方の端部が、前記弾性作動ユニット（１２）の不動部分（１６、１７）に固定されていて、前記移動部分（１４）の変位が使用者（１）のより大きな変位に帰着するように前記ケーブル（３、４）が、プーリ型システムを介して供給される、人間を推進及び／又は保持するための装置において、前記装置が、前記移動部分（１４）に固定された弾性作動構成要素（１３）の数量を変化させるための手段（１５、２８、１９）を具備していることを特徴とする、人間を推進及び／又は保持するための装置。
【請求項２】
弾性作動構成要素（１３）の数量を変化させるための手段（１５、２８、１９）が、前記弾性作動構成要素（１３）の少なくとも一つの端部（２０）を固定する手段（２１）と分離する手段（２２）とをもつプレート（２８）を具備していることを特徴とする、請求項１に記載の人間を推進及び／又は保持するための装置。
【請求項３】
固定する手段（２１）と分離する手段（２２）とが、プレート（２８）に形成された穴から構成され、前記穴の各々の横断面が、対応する弾性作動構成要素（１３）の端部（２０）が自由に通り抜けることができる少なくとも一つの通し部（２２）を具備していて、一方少なくとも一つの穴（２１、２２）が、対応する弾性作動構成要素（１３）の端部（２０）を固定するために、通し部（２２）より小さな横断面の固定部（２１）も具備していて、前記プレート（２８）が、弾性作動構成要素（１３）の一つ又は複数の端部（２０）を固定したり解放したりするように移動させられる構造になっていることを特徴とする、請求項１又は２のいずれかに記載の人間を推進及び／又は保持するための装置。
【請求項４】
固定部（２１）の数量が互いに異なるプレート（２８）を取り込むように作られている、請求項２又は３のいずれかに記載の人間を推進及び／又は保持するための装置。
【請求項５】
人間を推進及び／又は保持するための装置が、積層体（２７）を形作る複数のプレート（２８）を具備して、前記プレートの各々が、弾性作動構成要素（１３）の、いくつかの端部に固定されるように、他のプレートとは独立して移動されることができることを特徴とする、請求項２又は３のいずれかに記載の人間を推進及び／又は保持するための装置。
【請求項６】
一枚のプレート若しくは複数のプレート（２８）が不動部分（１６、１８）の一部であることを特徴とする、請求項２〜５のいずれか一項に記載の人間を推進及び／又は保持するための装置。
【請求項７】
一枚のプレート若しくは複数のプレート（２８）が移動部分（１４）の一部であることを特徴とする、請求項２〜５のいずれか一項に記載の人間を推進及び／又は保持するための装置。
【請求項８】
弾性作動構成要素（１３）がスプリングであることを特徴とする、請求項１〜７のいずれか一項に記載の人間を推進及び／又は保持するための装置。
【請求項９】
各スプリング（１３）の端部（２０）の直径が、スプリングの残りの部分の直径より小さく、縮小された直径部分が、スプリング（１３）にねじ込まれている円筒状構成要素（２４）を保持していて、前記円筒状構成要素（２４）が、スプリング（１３）の端部（２０）をそれらに対応するプレート（２８）に固定するための手段（２６、３２）を取り込むように作られていることを特徴とする、請求項１〜８のいずれか一項に記載の人間を推進及び／又は保持するための装置。
【請求項１０】
弾性作動ユニット（１２）が、一方の端に不動部分（１６、１８）を、また他方の端に移動部分（１４）を具備していて、縦の弾性作動構成要素（１３）各々の一方の端部が不動部分（１６、１８）に固定されていて、もう一方の端部（２０）が、移動部分（１４）に含まれた穴（１９）を自由に通り抜けることが可能であり、前記移動部分（１４）が、いくつかの弾性作動構成要素（１３）の端部（２０）を固定するために弾性作動構成要素の方向に対して直角に移動されることができ、又弾性作動ユニット（１２）が、いくつかの弾性作動構成要素（１３）の端部（２０）を移動部分（１４）に固定する前にいくつかの弾性作動構成要素（１３）の端部（２０）を移動させるためのシステム（１８）も備えていることを特徴とする、請求項１〜９のいずれか一項に記載の弾性作動ユニット（１２）。
【請求項１１】
プレート（２８）が複数の穴（１９）を具備していて、前記複数の穴（１９）が、対応する弾性作動構成要素（１３）の端部（２０）の自由な移動を可能にする少なくとも一つの通し部分（２２、２３）を含んでいて、少なくとも一つの穴（１９）が、対応する弾性作動構成要素（１３）の端部（２０）を固定するように作られた固定部（２１）も備えていることを特徴とする、請求項１〜１０のいずれか一項に記載の人間を推進及び／又は保持するための装置と共に使用されるプレート（２８）。
【発明の詳細な説明】
【０００１】
本発明は特に、ショー、スポーツ、若しくは訓練の目的のために、人間を推進及び／又は保持するための装置に関するものであり、前記装置では少なくとも一つのケーブル若しくは他の同じ型の構成要素が、弾性的に作動するシステムと共に使用されて、一人以上の使用者を推進及び／又は保持する。
【０００２】
本発明は、特にケーブルの戻り力を使用者の体重と体力とに適合させるための手段を含んでいる装置に関するものである。
【０００３】
弾性的に推進力を作用させたり保持したりする装置は従来技術分野で公知である。例えば特に、仏国特許出願公開第２７４６０２８号、米国特許第５７８８６０６号、もしくは米国特許第５２２１２４１号があり、それらは、弾性コードを具備していて、前記コードの一端が使用者に取り付けられている。
【０００４】
別のシステムでは、例えば米国特許第４４１０１７５号明細書若しくは米国特許第５４２１７８３号明細書を見ると、弾性コードがスプリング及び随意的にケーブルに置き換えられている。
【０００５】
弾性コードが使用されようとスプリングが使用されようと、材料は、比較的早く劣化して頻繁な交換を必要とする。この問題は、装置が、屋外に設置されそして日光あるいは風化作用のような損耗要因を受けるところにおいて悪化される。
【０００６】
国際公開第９９／４７２２１号パンフレットで開示されている装置は、少なくとも一つのケーブルを具備した推進及び保持手段に関するものであり、前記ケーブルの端の一方が、弾性作動ユニットの移動可能面に取り付けられていて、前記弾性作動ユニットがスプリングのような弾性作動構成要素を相当数含んでいる。ケーブルは、弾性作動ユニットの移動可能面の小さな変位が使用者に取り付けられたケーブルの端の大きな変位に帰着するように、プーリーシステムを介して供給される。弾性作動構成要素が、ユニットの中に閉じ込められているので、後者は、日光若しくは風化作用のようなケーブルを劣化させる外部要因から保護される。
【０００７】
使用者の特徴、特に彼又は彼女の体重を要因として折り込むために、装置は弾性作動構成要素の戻り力を調節するためのシステムを備えていなければならない。国際公開第９９／４７２２１号は、この目的のために、弾性作動構成要素を長くあるいは短くするシステムを装置が使用される前に使用しており、前記弾性作動構成要素は、コンピュータ制御油圧ジャッキもしくは手巻きウインチのいずれかを具備している。
【０００８】
しかしながら、従来技術の戻力調節システムは疑う余地のない欠点を有している。理想的な調節が、比較的複雑で高価なシステムを使うことによってのみ可能となる。さらに、体重を調節するために弾性作動構成要素の長さを変えることは、非常に軽い若しくは非常に重い人の場合には適用できない。この問題は、装置が使用者によって生み出される推進力の助力をつかって作動する場合に更に大きくなる。
【０００９】
本発明の課題は、現行の戻り力調節システムへの代替手段を提供することにより、特に上述の問題を解決することである。
【００１０】
それは、より正確には人間を推進及び／又は保持するための装置に関係しており、少なくとも一人の人に取り付けられるようにされた一方の端を有する、少なくとも一つのケーブル若しくは同じタイプの別の剛性構成要素を具備しており、前記ケーブルは弾性作動ユニットに取り付けられた移動部分を経て延びており、一方前記ケーブルのもう一方の端は、ウインチもしは他の吊上げシステム、又は前記移動部分自身に取り付けられていて、前記弾性作動ユニットは、概ね縦形のいくつかの弾性作動構成要素を具備しており、前記弾性作動構成要素各々の一方の端が前記移動部分に固定されているのに対してもう一方の端が前記弾性作動ユニットの不動部分に固定されていて、前記ケーブルは、前記移動部分の変位が使用者の更に大きな変位に帰着するように、システムを介して供給され、装置は、装置が前記移動部分に固定された弾性作動構成要素の数を変化させるための手段を具備していることにより特徴付けられている。
【００１１】
本発明による装置は、移動可能型構造体として、又は固定型構造体として屋内又は屋外で使用することができる。挙げることができる非制限的な使用例は、バンジージャンプ、“投石器”型の機器、及びトランポリンを含んでおり、そこでは使用者が、彼あるいは彼女の運動を通して彼あるいは彼女に随伴する弾性作動システムに結び付けられており、又アクロバットスポーツにおける訓練に関しても同様である。
【００１２】
“弾性作動構成要素”という表現は、弾性を有しているどんなものにもあてはまると理解されるべきである。従って、弾性コードあるいはスプリングは一例である。
【００１３】
本発明のいくつかの非制限的な実施例が、添付図を参照しながら以下に説明される。
【００１４】
図１に示された装置は、トランポリン（２）を具備しており、このトランポリン（２）の上で使用者（１）が二本のケーブル（３、４）によって弾性作動ユニット（１２）に接続されており、各々のケーブル（３、４）は、共通方向（７）において他方のケーブル（４、３）と再結合される前に一つの固定プーリ（５、６）を周って延びており、一方各々のケーブル（３、４）の他の端は、例えばウインチのような吊上げシステム（１７）に取り付けられており、前記吊上げシステム（１７）は例えばフレーム（８）に固定されている。図２も参照すると、弾性作動ユニット（１２）もフレーム（８）に固定されており、このフレーム（８）は更に一組のプーリ（９、１０）を具備していて、この一組のプーリ（９、１０）を周ってケーブル（３、４）が通っている。二本のケーブル（３、４）の使用者側の端は、例えばベルトとカラビナとを具備したシステム等のさまざまな手段によって使用者（１）に取り付けられている。弾性作動ユニット（１２）は、頂部に移動部分（１４）を具備していて、底部に不動部分（１６）を具備しており、各々の部分（１４、１６）はスプリング（１３）によって他方に接続されている。プーリ（１０）システムが、接続構成要素（１１）によって移動部分（１４）に接続されていて、ケーブル（３、４）が前記接続構成要素（１１）を通り抜ける。特に図３と４で見られるように、移動部分は主として二つの重ね合わされたプレート（２８、２９）から構成されており、下プレート（２９）には軸ピン（３１）も設けられていて、ハンドル（１５）が前記軸ピン（３１）に取り付けられている。各々のプレート（２８、２９）は、相当数の穴（１９）を有しており、スプリング（１３）の端部（２０）が、前記穴（１９）に収容されるか、又は前記穴（１９）を通り抜けるように作られている。移動部分（１４）は、上プレート（２８）が下プレート（２９）の上で横方向に変位することをハンドル（１５）と軸ピン（３１）とによって引き起こされることが可能となるように作られており、前記軸ピン（３１）は上プレート（２８）のスロット（３０）に収容されている。図５と６で見られるように、上プレート（２８）は、概ね楕円形の通し穴（２３）及び鍵穴に同様な形の固定穴（２１、２２）という二種類の穴（１９）を含んでいる。スプリングの直径は、その上端部において縮小しており（図７〜９参照）、スプリングは、スプリング（１３）の内側にねじ込まれた円筒状構成要素（２４）を受け入れており、各々の円筒状構成要素（２４）は、ディスク（３２）を備えたロッド状構成要素（２６）を円筒状構成要素（２４）の中心に有しており、前記ディスク（３２）は、移動部分（１４）の上プレート（２８）を通り抜けるように、若しくは必要に応じて前記上プレート（２８）に固定されるように作られている。この下端部において（図１０及び１１参照）、弾性作動ユニット（１２）は、基本的にプレート（１６）とペダルシステム（１８）とを具備する不動部分（１６、１８）から構成されており、前記プレート（１６）は、基部を形成し、この基部にスプリング（１３）の下端部が固定されている。
【００１５】
図１〜１１に示された装置の運用がここで説明される。
【００１６】
使用者は、ケーブル（３、４）の端に取り付けられると吊上げシステム（１７）によって吊上げられることが可能である。使用者を吊上げるのに選択される高さは、使用者（１）の連続往復運動が可能となるのに十分な高さでなければならず、また特に使用者の体重と体力とによって決まる。装置を作動させるために、使用者（１）は、上下の連続往復運動を始動する。彼が下に移動するとき、弾性作動ユニット（１２）の移動部分（１４）は、引き上げられて、移動部分（１４）の上プレート（２８）に取り付けられているスプリング（１３）によって働く戻り力を増大させる。使用者（１）の上方への運動は従って、弾性作動ユニット（１２）の存在とプーリ（９、１０）システムの存在とによって拡大され、前記プーリ（９、１０）システムは、移動部分（１４）の小さい変位に対して使用者（１）のより大きな変位を引き起こす。
【００１７】
装置が使用される前に、装置を使用者（１）の体重と、必要に応じて体力とに合わせるために、規定の数の固定穴（２１、２２）を含んだプレートが選択される。図５は、９０ｋｇの人用のプレート（２８）を示しており、一方図６は、２０ｋｇの人用のプレート（２９）を示している。上プレート（２８）はプレート（２９）の上に配置される。この段階では、スプリング（１３）の上端部（２０）は上プレート（２８）にまだ固定されないで、上プレート（２８）の下にある。各々のスプリングの上端部（２０）の上に、通し穴（２３）または固定穴（２１、２２）の通し部分（２２）がある。次にスプリングは、ペダルシステム（１８）によって、全て一つになって持上げられ、そして次にハンドル（１５）が回転され、その結果上プレート（２８）が、横方向に移動してロッド状構成要素（２６）のディスク（３２）のいくつかを固定穴（２１、２２）の縮小された部分（２１）の先端に位置決めする。次いでペダルシステムは、解除されて、スプリング（１３）の、いくつかの端部（２０）を移動部分（１４）の上プレート（２８）に固定した状態にする。
【００１８】
この固定動作が完了すると、装置は使用可能になる。
【００１９】
異なる体重もしくは異なる体力の新しい使用者（１）が装置を使用するとき、移動部分の上プレート（２８）は、適切な数の固定穴（２１、２２）を含んだプレートに交換され、前記固定穴（２１、２２）は、二番目の使用者が重い場合はより多く、あるいは二番目の使用者が軽い場合はより少なくなる。
【００２０】
プレート（２８）は以下のように交換される。ペダルシステム（１８）が作動されて、全てのスプリング（１３）を上方に移動させる。次いでハンドル（１５）が、回転されてプレート（２８）を横に移動させ、このことが通し穴（２３）もしくは通し部分（２２）だけをロッド状構成要素（２６）のディスク（３２）の下に位置決めする作用を有する。次いでペダルシステム（１８）が解除されて、その結果スプリング（１３）の端部（２０）がプレート（２８）から完全に外される。次に別のプレートが、前述のように挿入されて所定位置につく。
【００２１】
移動部分（１４）のプレート（２８、２９）のための材料は、それに付加される応力に十分耐える程に強いものが準備される。限定するものではないが例示として、上プレート（２８）は鋼で、下プレート（２９）はアルミニウムであってよい。
【００２２】
図１２は弾性作動ユニット（１２）の別の実施例を示しており、前記実施例では、穴の数と穴のタイプとの点で異なるプレート（２７）の積層体が弾性作動ユニット（１２）の底部近くに配置され、図１２では二つのハンドル（１２）である一組のハンドル（２６）が、スプリング（１３）の、いくつかの下端部に固定されることが意図されているプレートを選択して移動させるために使用される。移動とスプリング（１３）の下端部の固定とが、図２に見られるユニットに関して説明されたのとまったく同じやり方で引き起こされ、また図１２のユニットは、使用される全てのプレートが含まれていて、その一枚のプレートが他のプレートと容易に交換可能であるという追加の利点を有している。
【００２３】
本発明が図の中で開示された対象に限定されないことは言うまでもないことである。例えば、交換可能なプレートの積層体を、移動部分（１４）の不可欠な部分として弾性作動ユニット（１２）の頂部近くに配置することが可能である。
【００２４】
本発明が、前述されたようなトランポリンに限定されることもない。本発明は、使用者の垂直、水平、もしくは斜めの運動を生み出す同様の装置も含んでいる。
【００２５】
同様に、本装置は、同時に二人以上の人のために作られることが可能である。実際、“使用者”という用語が例えば金属構造物のような物も包含することが、理解されるべきであり、前記金属構造物はその内部に一人以上の人を収容することができるものである。
【００２６】
最後に、移動部分（１４）は、必ずしもプレート（２８、２９）の一組である必要はなく、同様の機能を果たすどのような構造物であってもよいことが指摘できる。
【図面の簡単な説明】
【図１】
図１は、トランポリンシステムを示している。
【図２】
図２は、図１で示されたものと同じ種類の弾性ユニットを示した図である。
【図３】
図３は、図２で示された弾性ユニットを第一状態において上から見た図である。
【図４】
図４は、図２で示されたものと同じ弾性ユニットを第二状態において上から見た図である。
【図５】
図５は、体重の重い人用に作られた第一プレートを示した図である。
【図６】
図６は、体重の軽い人用に作られた第二プレートを示した図である。
【図７】
図７は、弾性構成要素の端部を示した図である。
【図８】
図８は、図７と同じ弾性構成要素の側面図である。
【図９】
図９は、弾性作動構成要素の上端部を示した図である。
【図１０】
図１０は、弾性作動ユニットの下端部を示した図である。
【図１１】
図１１は、弾性作動ユニットの下端部の断面図である。
【図１２】
図１２は、弾性作動ユニットの別の実施例である。
【図３】
2004512154.tif 000003
【図４】
2004512154.tif 000004
【国際公開パンフレット】
2004512154.tif 000005
2004512154.tif 000006
2004512154.tif 000007
2004512154.tif 000008
2004512154.tif 000009
2004512154.tif 000010
2004512154.tif 000011
2004512154.tif 000012
2004512154.tif 000013
2004512154.tif 000014
2004512154.tif 000015
2004512154.tif 000016
2004512154.tif 000017
2004512154.tif 000018
2004512154.tif 000019
2004512154.tif 000020
2004512154.tif 000021
2004512154.tif 000022
2004512154.tif 000023
【国際調査報告】
2004512154.tif 000024
2004512154.tif 000025
2004512154.tif 000026
2004512154.tif 000027
2004512154.tif 000028
2004512154.tif 000029